(57)【要約】【課題】赤色や黄色、緑色を含むカラー印刷面でもアイコンが誤作動することがなく、色の制限のない任意のデザインのカラー印刷面を形成できる光学式マウス対応のマウスパッドを提供するものである。【解決手段】表面をエンボス加工して凹凸面８を形成したプラスチックフィルム７の裏面に直接印刷することを特徴とするものである。請求項２の本発明は接着剤層３を介して裏面に剥離紙４を貼付したシート２の表面にカラー印刷面５を形成し、表面をエンボス加工して凹凸面８を形成したプラスチックフィルム７を、この裏面に形成した接着剤層６を介して、前記カラー印刷面５に一体に接着したことを特徴とするものである。【選択図】図１
2006155625.tif 000002
【特許請求の範囲】
【請求項１】
プラスチックフィルムの表面側へ透過表示するための表示面を該プラスチックフィルムの裏面側に形成したマウスパッドであって、該プラスチックフィルムの表面側をエンボス加工して凹凸面を形成し、光学式マウス発光器から照射される照射光を該凹凸面で反射させて該光学式マウスの受光器で受光させることを特徴とする光学式マウスパッド。
【請求項２】
接着剤層を介して裏面に剥離紙を貼付したシートの表面にカラー印刷面を形成し、表面をエンボス加工して凹凸面を形成したプラスチックフィルムを、この裏面に形成した接着剤層を介して、前記カラー印刷面に一体に接着したことを特徴とする光学式マウスパッド。
【請求項３】
シートの厚さが０．１〜０．３ｍｍであることを特徴とする請求項２記載の光学式マウス対応のマウスパッド。
【発明の詳細な説明】
【技術分野】
【０００１】本発明はアイコンの誤動作を防止した光学式マウスパッドに関するものである。
【背景技術】
【０００２】一般にコンピューターの操作に用いるマウスは、ボール式と光学式がある。ボール式のマウスは、ケースの底面に回転するボールが取付けられ、ボールの回転方向や移動距離から、コンピューターの画面上にマウスの動きに同期するアイコンが表示され、このアイコンの位置によって操作するものである。【０００３】このボール式のマウスは、ボールが滑らずに円滑に回転できるようにラバースポンジなどの弾性シートで形成されたマウスパッドを敷いてこの上を移動させている。しかしながらボールがマウスパッドの上を接触して回転していくため、次第にボールの表面にゴミが付着したり、磨耗してきて動作が不安定になる問題があった。【０００４】このような問題を解消するため、最近は非接触型の光学式マウスが普及してきている。これはケースの裏に発光器と受光器を対向して取付け、発光器から発光された赤色光をマウスパッドの上で反射させ、これを受光器で受光して、画像処理することによりマウスの移動方向や移動距離を検出するものである。【０００５】この光学式マウスに使用する従来のマウスパッドとしては、裏面に接着剤層を設けたシートの表面に、光学的な特性を有する特殊なインクを用いてカラー印刷面を形成し、この上に透明なプラスチックフィルムを接着した構造のものがある。（例えば特許文献１）。しかしながら、このカラー印刷した光学式マウスパッドは、赤色や黄色の印刷面に光が当るとアイコンが誤動作する問題が判明した。この原因について、照射する光が近赤外線などの赤色光であるため、マウスパッドの赤色や黄色の印刷面で光が吸収されて反射しないためであると考えられる。また同様に緑色光を照射する場合には、緑色印刷面で吸収されてしまう問題がある。
【特許文献１】特開平１０−３２０１１０
【発明の開示】
【発明が解決しようとする課題】
【０００６】本発明は上記問題を改善し、赤色や黄色、緑色を含むカラー印刷面でもアイコンが誤作動することがなく、色の制限のない任意のデザインのカラー印刷面を形成できる光学式マウスパッドを提供するものである。
【課題を解決するための手段】
【０００７】本発明の請求項１記載の工学式マウスパッドは、プラスチックフィルムの表面側へ透過表示するための表示面を該プラスチックフィルムの裏面側に形成したマウスパッドであって、該プラスチックフィルムの表面側をエンボス加工して凹凸面を形成し、光学式マウス発光器から照射される照射光を該凹凸面で反射させて該光学式マウスの受光器で受光させることを特徴とする光学式マウスパッド。【０００８】本発明の請求項２記載の光学式マウスパッドは、接着剤層を介して裏面に剥離剤を貼付したシートの表面にカラー印刷面を形成し、表面をエンボス加工して凹凸面を形成したプラスチックフィルムを、この裏面に形成した接着剤層を介して、前記カラー印刷面に一体に接着したことを特徴とするものである。請求項１または２記載の光学式マウスパッドの構成によれば、光学式マウスはプラスチックフィルムの裏面側の印刷面からの反射光ではなく、プラスチックフィルムの表面側の凹凸面からの反射光を受光するため誤動作がない。【０００９】本発明の請求項３記載の光学式マウスパッドは、シートの厚さが０．１〜０．３ｍｍであることを特徴とするものである。
【発明の効果】
【００１０】本発明に係る請求項１および請求項２記載の光学式マウスパッドによれば、赤色光がエンボス加工したプラスチックフィルムを透過して黄色、緑などカラー印刷面に照射されると、これが吸収されて反射しないが、一部の赤色光はエンボス加工した凹凸面で反射し、この反射光がマウスの受光器で受光されるので認識され、モニター画面上のアイコンは誤作動することがない。またカラー印刷面の表面は、スリガラス状の細かいエンボス加工をして透明なプラスチックフィルム７で覆われているので、目視した状態では、カラー印刷面をそのまま見ることができる。【００１１】また請求項３記載の光学式マウスパッドによれば、シートの厚さが、０．１〜０．３ｍｍで形成されているので、耐久性があり、机表面との段差が小さくマウスがマウスパッドを外れた時の音の発生が少なく、また机表面に薄く貼り付いた状態であるので邪魔にならない。【００１２】さらに、本発明の光学式マウスパッドによれば、机表面の大きさと同等の机マット状とすることで下面にカラー印刷されたような印刷物を入れても誤作動を防ぐことができる。
【発明を実施するための最良の形態】
【００１３】以下、本発明の第１実施例について図１ないし図３を参照して詳細に説明する。図において１ａは光学式マウスパッドを示すもので、裏面に例えば花のイラストやカレンダーを赤色や黄色、緑などのインクを用いて印刷した印刷面５が形成される。【００１４】印刷面５は、特殊なインクを用いる必要はなく、通常のインクを用いて印刷することができる。【００１５】またエンボス加工したプラスチックフィルム７は、エンボス加工により表面に凹凸面８が形成されたものを用い、これに直接裏面から印刷面５を形成する。【００１６】上記構成の光学式マウスパッド１ａは、机９の上に載せてマット自重で光学式マウスパッド１ａを固定する。この光学式マウスパッド１ａの上にマウス１０を載せて移動させると、赤色ＬＥＤなどの発光器１１から発光された赤色光１２の一部は、エンボス加工したプラスチックフィルム７を透過し、カラー印刷面５で反射し、また残りの赤色光１２はエンボス加工した凹凸面８で反射して、これらの反射光が受光器１３で受光され、これを順次画像認識してマウス１０の移動方向や移動距離が認識され、これに同期してモニター画面上のアイコンが移動する。【００１７】赤色光１２が黄色、緑などカラー印刷面５に照射されると、これが吸収されて反射しないが、一部の赤色光１２はエンボス加工した凹凸面８で反射し、この反射光が受光器１３で受光されるので認識され、モニター画面上のアイコンは正常に動作する。またカラー印刷面５の表面は、スリガラス状の細かいエンボス加工をした透明なプラスチックフィルム７で覆われているので、目視した状態では、カラー印刷面５をそのまま見ることができる。【００１８】従って、本発明の光学式マウスパッド１ａは、赤色や黄色を含む、色の制限のない任意のデザインの印刷面を形成することができる。このため、印刷面に商品広告や会社名などを印刷して、販促品や景品として利用することにより、単なるチラシ広告とは違って、常時、机９に貼り付けて長期間に亘って使用されるので、その広告宣伝効果は絶大である。【００１９】なお上記説明では赤色光１２を発生させるマウス１０の場合について説明したが、本発明は緑色光や白色光を発光する発光器１１を用いた光学式マウスパッドにも広く適用することができる。【００２０】以下、本発明の第２実施例について図４ないし図６を参照して詳細に説明する。図において１ｂは光学式マウスパッドを示すもので、これはシート２の裏面に接着剤層３を介して剥離紙４が接着され、表面に例えば花の写真やカレンダーを赤色や黄色、緑などのインクを用いてオフセット印刷したカラー印刷面５が形成され、このカラー印刷面５の表面に接着剤層６を介して、表面をエンボス加工したプラスチックフィルム７を一体ら接着したものである。【００２１】前記シート２は、水や破れに強い例えば合成紙を用い、その厚さは０．１〜０．３ｍｍのものが好ましい。シート２の厚さが０．１ｍｍ未満では強度が弱く耐久性が低い問題があり、また０．３ｍｍを超えると机表面との段差が大きくなりマウスがマウスパッド１ｂを外れた時に音が出るからである。【００２２】またこのシート２の裏面に接着剤層３を介して接着した剥離紙４は、その周囲が露出するようにシート２よりやや大きく形成されている。またこの接着剤層３は再剥離が容易な接着剤を用い、何度剥しても、再度、机に接着して光学式マウスパッド１ｂが動かないようになっている。またカラー印刷面５は、特殊なインクを用いる必要はなく、通常のインクを用いてオフセット印刷することができる。【００２３】またエンボス加工したプラスチックフィルム７は、一般に透明ガラスの表面に貼付してスリガラス状に不透明にするフィルムを用い、エンボス加工により表面に凹凸面８が形成され、裏面に接着剤層６を設けたものを用い、これをカラー印刷面５の表面に接着する。【００２４】上記構成の光学式マウスパッド１ｂは、先ず剥離紙４を剥がして接着剤層３を図３に示すようにモニターを置いた机９の上に載せて光学式マウスパッド１ｂを固定する。この光学式マウスパッド１ｂの上にマウス１０を載せて移動させると、赤色ＬＥＤなどの発光器１１から発光された赤色光１２の一部は、エンボス加工したプラスチックフィルム７を透過し、カラー印刷面５で反射し、また残りの赤色光１２はエンボス加工した凹凸面８で反射して、これらの反射光が受光器１３で受光され、これを順次画像認識してマウス１０の移動方向や移動距離が認識され、これに同期してモニター画面上のアイコンが移動する。【００２５】赤色光１２が黄色、緑などカラー印刷面５に照射されると、これが吸収されて反射しないが、一部の赤色光１２はエンボス加工した凹凸面８で反射し、この反射光が受光器１３で受光されるので認識され、モニター画面上のアイコンは正常に動作する。またカラー印刷面５の表面は、スリガラス状の細かいエンボス加工をした透明なプラスチックフィルム７で覆われているので、目視した状態では、カラー印刷面５をそのまま見ることができる。【００２６】従って、本発明の光学式マウスパッド１ｂは、赤色や黄色を含む、色の制限のない任意のデザインのカラー印刷面を形成することができる。このため、カラー印刷面に商品広告や会社名などを印刷して、販促品や景品として利用することにより、単なるチラシ広告とは違って、常時、机９に貼り付けて長期間に亘って使用されるので、その広告宣伝効果は絶大である。また剥離紙４の裏面にも印刷できるので、この部分も宣伝広告面として利用することができる。また光学式マウスパッド１ｂは、机表面に薄く貼り付いた状態なので邪魔にならず、またマウス１０がマウスパッド１ｂを外れた時の音の発生が少ない。しかも接着剤層３は再剥離が容易な接着剤を用いているので、剥して別の位置に貼付しても接着し、繰り返して剥離、接着を行うことができる。【００２７】なお上記説明では赤色光１２を発生させるマウス１０の場合について説明したが、本発明は緑色光や白色光を発光する発光器１１を用いた光学式マウスパッドにも広く適用することができる。
【産業上の利用可能性】
【００２８】なお本発明のマウスパッドは光学式のマウスに使用する場合について説明したが、表面にエンボス加工した凹凸面８が形成されてボールが滑らずに滑らかに回転できるので、ボール式マウスパッドとしても使用することができる。
【図面の簡単な説明】
【００２９】
【図１】本発明の第１実施例による光学式マウスパッドを示す断面図である。
【図２】図１の光学式マウスパッドを示す平面図である。
【図３】図１の光学式マウスパッドを机に貼付した状態を示す断面図である。
【図４】本発明の第２実施例による光学式マウスパッドを示す断面図である。
【図５】図４の光学式マウスパッドを示す平面図である。
【図６】図４の光学式マウスパッドを机に貼付した状態を示す断面図である。
【符号の説明】
【００３０】  １ａ    光学式マウスパッド（第１実施例）
１ｂ    光学式マウスパッド（第２実施例）
２      シート
３      接着剤層
４      剥離紙
５      カラー印刷面
６      接着剤層
７      エンボス加工したプラスチックフィルム
８      凹凸面
９      机
１０      マウス
１１      発光器
１２      赤色光
１３      受光器
【図１】
2006155625.tif 000003
【図２】
2006155625.tif 000004
【図３】
2006155625.tif 000005
【図４】
2006155625.tif 000006
【図５】
2006155625.tif 000007